(57)【要約】      （修正有）【課題】装置の小型化を実現する。【解決手段】光量調節装置は、光通過経路となる開口部１ａが設けられたベース部材１と、前記開口部内に移動することで前記光通過経路での光の量を調節する光量調節部材３，４と、を備え、前記ベース部材１と前記光量調節部材３との係合部３ｂ、３ｃ、は、当該光量調節部材３の移動方向において、前記ベース部材１の前記開口部１ａに対して直線状に設けられている。前記ベース部材１に取り付けられたカバー部材５を更に有し、前記ベース部材１の開口部と一致する位置に開口部５ａが設けられている。【選択図】図１
2015099332.tif 000002
【特許請求の範囲】
【請求項１】
光通過経路となる開口部が設けられたベース部材と、
前記開口部内に移動することで前記光通過経路での光の量を調節する光量調節部材と、を備え、
前記ベース部材と前記光量調節部材との係合部は、当該光量調節部材の移動方向において、前記ベース部材の前記開口部に対して直線状に設けられていることを特徴とする光量調節装置。
【請求項２】
光通過経路となる開口部が設けられたベース部材と、
前記ベース部材に係合し、複数の遮光部材を開放状態から全閉状態の間で、互いに反対方向に前記開口部内に移動させて前記開口部の開口面積を可変とすることで前記光通過経路での光の量を調節する光量調節部材と、を備え、
前記ベース部材に対する前記光量調節部材の係合部は、前記ベース部材の前記開口部に対して直線状に移動するように前記ベース部材に形成されたガイド孔に係合することを特徴とする光量調節装置。
【請求項３】
前記ベース部材に取り付けられて、前記遮光部材の光軸方向の動きを規制するカバー部材を更に有し、
前記カバー部材には、前記ベース部材に取り付けられた状態で、当該ベース部材の開口部と一致する位置に開口部が設けられており、
前記光量調節部材は、それぞれに開口部が形成された第１の遮光部材と第２の遮光部材を有し、
前記第１の遮光部材の係合部はカバー部材に設けられた直線状のガイド孔に係合し、前記第２の遮光部材の係合部は前記ベース部材に形成された直線状のガイド孔に係合することを特徴とする請求項２に記載の光量調節装置。
【請求項４】
前記第１および第２の遮光部材がステッピングモータの回動により互いに反対方向に移動されて前記ベース部材と前記カバー部材の開口部の開口面積が可変とされることを特徴とする請求項３に記載の光量調節装置。
【請求項５】
前記第１の遮光部材の一面から突出する係合部が前記カバー部材に設けられたガイド孔に係合し、前記第２の遮光部材の一面から突出する係合部が前記ベース部材に設けられたガイド孔に係合し、
前記第１および第２の遮光部材の他面が対向し、互いの開口部の重なり合いにより開口面積が可変とされることを特徴とする請求項３または４に記載の光量調節装置。
【請求項６】
前記ベース部材のガイド孔と前記カバー部材のガイド孔が平行に設けられていることを特徴とする請求項３ないし５のいずれか１項に記載の光量調節装置。
【請求項７】
請求項１ないし６のいずれか１項に記載の光量調節装置を有する光学系を備え、前記光学系を通過した被写体像を撮像することを特徴とする撮像装置。
【発明の詳細な説明】
【技術分野】
【０００１】
本発明は、例えば、デジタルカメラやビデオカメラなどの撮像装置の光学系を通過する光束の光量を調節するための光量調節装置およびこれを搭載した光学装置に関する。
【背景技術】
【０００２】
デジタルカメラやビデオカメラなどの撮像装置には、光学系を通過する光束の光量を調節するための絞り機構が搭載されている。そして、従来、絞り機構の駆動源として、いわゆるガルバノメータが多用されてきたが、近年のシャッタ速度の高速化に追従するため、ガルバノメータの代わりにステッピングモータを駆動源とすることが主流となっている。
【０００３】
ステッピングモータを駆動源とした絞り機構では、絞り羽根が初期位置にあるか否かをホームポジションセンサなどにより検出する一方、シャッタ動作時は、ステッピングモータをパルス駆動させて絞り羽根を高速で全閉状態にしている（特許文献１）。また特許文献２では、絞り羽根のガイド孔を動作方向に対して斜めに形成することで駆動ピンのストロークを長くし、絞り羽根の作動方向と垂直な方向の光量調節装置の小型化を図っている。更に特許文献３では、１枚の絞り羽根に対して、カム溝、ガイド溝、遮光板部、開口形成用縁部がこれら順番で移動方向に沿って重複することなく並べられることで、小型化を図る光量調節装置が提案されている。
【先行技術文献】
【特許文献】
【０００４】
【特許文献１】特開平０６−０５９３０９号公報
【特許文献２】特開２００４−１０９５３１号公報
【特許文献３】特開２００９−２８８５８２号公報
【発明の概要】
【発明が解決しようとする課題】
【０００５】
カメラの小型化、薄型化、特にカメラの本体サイズの大半を占めている幅方向（絞り羽根の移動方向に対して直交方向）の小型化を実現するために、光量調節装置の小型化は重要な要素の１つとなっている。
【０００６】
本発明は、上記課題に鑑みてなされ、光量調節装置の幅方向における小型化技術を提供するものである。
【課題を解決するための手段】
【０００７】
本発明は、光通過経路となる開口部が設けられたベース部材と、前記開口部内に移動することで前記光通過経路での光の量を調節する光量調節部材と、を備え、前記ベース部材と前記光量調節部材との係合部は、当該光量調節部材の移動方向において、前記ベース部材の前記開口部に対して直線状に設けられていることを特徴とする光量調節装置を提供する。
【発明の効果】
【０００８】
本発明によれば、光量調節装置の幅方向（羽根の移動方向に対して直交する方向）の幅寸法を小型化することで、当該装置を搭載する製品の小型化が実現できる。
【図面の簡単な説明】
【０００９】
【図１】本発明に係る実施形態の光量調節装置の分解斜視図。
【図２】図１の光量調節装置を組み立てた状態であって、絞り羽根が開放状態を示す正面図。
【図３】図１の光量調節装置を組み立てた状態からカバー部材を取り外し、絞り羽根が開放状態（ａ）および全閉状態（ｂ）を示す正面図。
【発明を実施するための形態】
【００１０】
以下に、添付図面を参照して本発明を実施するための形態について詳細に説明する。以下の実施の形態は、本発明を実現するための一例であり、本発明は以下の実施の形態に限定されるものではない。本実施形態の構成部品の寸法、材質、形状、その相対配置等は、本発明の趣旨を逸脱しない範囲において本発明が適用される装置の構成や各種条件によって適宜修正又は変更されるべきものである。
【００１１】
図１ないし図３を参照して、本発明に係る実施形態の光量調節装置の構成について説明する。
【００１２】
なお、図１は本実施形態の光量調節装置の分解斜視図、図２は図１の光量調節装置を組み立てた状態であって、絞り羽根が開放状態を示す正面図である。また、図３は図１の光量調節装置を組み立てた状態からカバー部材を取り外し、絞り羽根が開放状態（ａ）および全閉状態（ｂ）を示す正面図である。
【００１３】
図１に示すように、本実施形態の光量調節装置は、ステッピングモータ６を駆動源とする絞り機能を有するシャッタ装置であり、撮像装置に搭載されて、光学系を通過した被写体像を撮像する。
【００１４】
シャッタ装置は、ベース部材１、駆動レバー２、複数の光量調節部材３、４、カバー部材５、ステッピングモータ６を備える。光量調節部材３、４は、遮光部材としての第１の絞りシャッタ羽根３と第２の絞りシャッタ羽根４を有する。ステッピングモータ６は、ベース部材１の外面に位置決めされてねじ８により締結され、出力軸７がベース部材１を貫通して内面に突出している。
【００１５】
ベース部材１には、光通過経路となる略円形の開口部１ａが形成されている。また、ベース部材１の内面には、第１の絞りシャッタ羽根３の移動方向（図では上下方向）に延びる直線状のガイド孔１ｂ、１ｃが形成されている。また、カバー部材５には、光通過経路となる略円形の開口部５ａが形成されている。また、カバー部材５には、第２の絞りシャッタ羽根４の移動方向（図では上下方向）に延びる直線状のガイド孔５ｂ、５ｃが形成されている。ベース部材１のガイド孔１ｂ、１ｃは同一直線状に設けられ、カバー部材５のガイド孔５ｂ、５ｃも同一直線状に設けられている。また、ベース部材１のガイド孔１ｂ、１ｃとカバー部材５のガイド孔５ｂ、５ｃは平行に設けられている。
【００１６】
カバー部材５は、ベース部材１の内面に配設される第１および第２の絞りシャッタ羽根３、４の光軸方向ＯＰの動きを規制する。カバー部材５の開口部５ａは、ベース部材１に取り付けられた状態で、当該ベース部材１の開口部１ａと一致する位置に形成されている。
【００１７】
第１および第２の絞りシャッタ羽根３、４はそれぞれ、矩形平板状の遮光部と、遮光部から延びる長細い平板状の脚部とからなる。第１の絞りシャッタ羽根３の遮光部には絞り開口部３ａが形成され、その一面にはガイド軸３ｂ、３ｃが突設される。絞り開口部３ａは、下側が円弧状、上側が三角形状の形状を有している。また、第１の絞りシャッタ羽根３の脚部には第１の連結孔３ｄが形成されている。同様に、第２の絞りシャッタ羽根４の遮光部には絞り開口部４ａが形成され、その一面にはガイド軸４ｂ、４ｃが突設される。絞り開口部４ａは、上側が円弧状、下側が三角形状の形状を有している。また、第２の絞りシャッタ羽根４の脚部には第２の連結孔４ｄが形成されている。
【００１８】
第１の絞りシャッタ羽根３の一面から突出するガイド軸３ｂ、３ｃは係合部としてベース部材１のガイド孔１ｂ、１ｃにスライド可能に係合される。第２の絞りシャッタ羽根４の一面から突出するガイド軸４ｂ、４ｃは係合部としてカバー部材５のガイド孔５ｂ、５ｃにスライド可能に係合される。この構成により、第１および第２の絞りシャッタ羽根３、４は、カバー部材５によって光軸方向の動きが規制されつつ、ガイド孔１ｂ、１ｃ、５ｂ、５ｃに沿って長手方向に移動可能となる。そして、第１および第２の絞りシャッタ羽根３、４の他面が対向し、互いの開口部３ａ、４ａの重なり合いにより開口面積が可変とされる。なお、ベース部材にガイド軸を設け、カバー部材にガイド孔を設けても良い。
【００１９】
駆動レバー２は、ステッピングモータ６の出力軸７に取り付けられて回動する。駆動レバー２の両端部には、第１の駆動ピン２ａおよび第２の駆動ピン２ｂが突設されている。第１の駆動ピン２ａは、第１の絞りシャッタ羽根３の第１の連結孔３ｂに係合されて、駆動レバー２の動きを第１の連結孔３ｂを介して第１の絞りシャッタ羽根３に伝達する。同様に、第２の駆動ピン２ｂは、第２の絞りシャッタ羽根４の第２の連結孔４ｂに係合されて、駆動レバー２の動きを第２の連結孔４ｂを介して第２の絞りシャッタ羽根４に伝達する。この構成により、第１および第２の絞りシャッタ羽根３、４は、駆動レバー２の回動に連動して、第１および第２の絞りシャッタ羽根３、４を開放状態から全閉状態の間で、互いに反対方向に移動される。更に、第１および第２の絞りシャッタ羽根３、４は、ステッピングモータ６をパルス駆動することにより、その移動量が回転角度に応じて制御される。これにより、ベース部材１とカバー部材の開口部１ａ、５ａの開口面積が所定の開度に設定される。
【００２０】
ステッピングモータ６は、円筒外周面にＳ極とＮ極が交互に（例えば、１０極）着磁されたロータマグネット（不図示）と、ロータマグネットの外周に配置され、９０°の電気的位相差を持つ励磁コイル（不図示）からなる２つの電磁石（不図示）とを有する。ステッピングモータ６は、出力軸７がロータマグネットに連結され、不図示のモータドライバ（不図示）が２つの励磁コイルに通電することにより正逆回転する２相ステッピングモータである。
【００２１】
上記構成において、シャッタ動作時に、２枚の絞りシャッタ羽根３、４を開放状態（図３（ａ））から全閉状態（図３（ｂ））の間で、ステッピングモータ６の回転角度に応じて互いに反対方向に開口部内に移動させる。このようにして、ベース部材１とカバー部材の開口部１ａ、５ａの開口面積が所定の開度に設定され、光通過経路での光の量を調節する。
【００２２】
このように、例えば、本実施形態によれば、図１に示すように絞りシャッタ羽根３および４に対してそれぞれガイド軸３ｂ、３ｃおよび４ｂ、４ｃを設けたので、上述した絞り羽根にガイド長孔を設けた特許文献３のように、光線の漏れを防ぐために開口部を避けて形成する必要がなくなる。このため、光量調節装置を小型化することができ、当該装置を搭載する製品の小型化が実現できる。
【００２３】
そして、本実施形態によれば、絞りシャッタ羽根３、４の移動方向において、絞りシャッタ羽根３、４とベース部材、またはカバー部材との係合部を光が通過する開口部に対して併設したので、光量調節装置の幅方向（絞り羽根の移動方向と直交する方向）において小型化（幅寸法の小型化）、すなわち、スリム化することが可能となる。したがって、本発明は、光量調節装置を撮像装置に実装するにあたり光量調節装置の幅方向において実装スペースの制限を受ける場合に特に有効である。
【００２４】
なお、本発明は上述した実施形態に限定されるものではなく、種々の修正や変更が可能である。例えば、本実施形態では駆動源にステッピングモータを使用し、ステッピングモータの駆動方式を１−２相励磁や２相励磁駆動としたが、マイクロステップ駆動などの駆動方式であっても良い。また通常のＤＣモータを用い、位置検出センサなどと組み合わせて絞り制御を行うようにしても良い。
【００２５】
また、本実施形態では、２枚の絞りシャッタ羽根で構成した例を説明しているが、３枚以上の絞りシャッタ羽根によって構成しても良い。また、それらの中にＮＤフィルタを含む構成とすることもできる。なお、本発明の光量調節装置は、従来と比べて小型であるので、実装対象となるカメラなどの撮像装置その他の光学装置の大型化を防ぐことが可能となる。
【図１】
2015099332.tif 000003
【図２】
2015099332.tif 000004
【図３】
2015099332.tif 000005